(57)【要約】【課題】一つの磁気センサによって広い範囲を検知し得るパチンコ遊技機を提供する。【解決手段】遊技機本体の、透明板の前面に近づけられた磁石が発生する磁気を検知すべき領域に磁性樹脂からなる磁性被膜層３０を設け、かつ該磁性被膜層３０が励磁されることにより生ずる磁気を検知する磁気センサ３２を設けた。これにより、パチンコ遊技機に設けられている遊技機構部材の邪魔になることなく、一つの磁気センサ３２による検知範囲を飛躍的に拡大させることができる。【選択図】図３
2010088537.tif 000002
【特許請求の範囲】
【請求項１】
遊技機本体が遊技盤と該遊技盤の前面を覆う透明板とを備えてなるパチンコ遊技機において、
遊技機本体の、透明板前面に近づけられた磁石が発生する磁気を検知すべき領域に磁性樹脂からなる磁性被膜層を備え、かつ該磁性被膜層が励磁されることにより生ずる磁気を検知する磁気センサを備えていることを特徴とするパチンコ遊技機。
【請求項２】
遊技盤の表面に磁性被膜層が設けられ、該磁性被膜層から遊技盤の裏面側に延成された磁性板または磁性導線の端部に臨ませて磁気センサが配設されていることを特徴とする請求項１記載のパチンコ遊技機。
【請求項３】
透明板の裏面に透明な磁性樹脂を塗布した磁性被膜層が設けられ、該磁性被膜層から遊技盤の裏面側に延成された磁性導線の端部に臨ませて磁気センサが配設されていることを特徴とする請求項１記載のパチンコ遊技機。
【発明の詳細な説明】
【技術分野】
【０００１】
本発明は、不正行為に用いられる磁石を検知する磁気センサを備えたパチンコ遊技機に関する。
【背景技術】
【０００２】
パチンコ遊技機において行われる磁石を用いた不正行為としては、遊技盤面を転動流下する遊技球を磁石で前面ガラス越しに吸着させて入賞口に誘導したり、可動翼片が開閉作動する可変入賞装置の上部位置に、磁石によって前面ガラス越しに多量の遊技球を吸着保持しておき、可動翼片が開放駆動されるタイミングに合わせて保持した遊技球を一挙に落下させて入賞させる手口等がある。
【０００３】
従来、このような磁石による不正行為の防止手段としては、リードスイッチを用いたものが知られている。これは、遊技盤に配設された入賞口の上部位置に対応する遊技盤の裏面に、盲端状の取付孔を形成し、該取付孔内にリードスイッチを収納したものであり、磁石によってリードスイッチが閉成すると、警報ブザーや警報ランプが即座に作動するようになっている（特許文献１参照）。
【０００４】
また、他の不正行為防止手段としては感磁性半導体素子を用いたものが知られており、該感磁性半導体素子によって磁気を検知すると、球発射装置のモータが停止するように構成されている（特許文献２参照）。
【０００５】
ところで、上記のような磁石の磁気を検知するために用いられるリードスイッチや感磁性半導体素子からなる磁気センサは、極めて小さく、その検知範囲が狭いため、遊技盤の広い範囲を検知領域とする場合には、多数の磁気センサを遊技盤の裏面に配設しなければならない。このため配設に手間がかかりコスト高となるだけでなく、磁気センサの配設位置を優先すると、パチンコ遊技機の設計自由度に大きな制約が生じることとなる。
【０００６】
そこで、一つの磁気センサによる検知範囲を拡大し得るようにした不正遊技検出装置が提案されている（特許文献３参照）。これは、磁石が発生する磁力線を透過し易い磁性板を遊技盤の裏面側に設けるとともに、該磁性板の角部または縁部に磁気センサを臨ませて配設したものである。
【特許文献１】実開昭５４−１１９４７６号公報
【特許文献２】特開昭６０−４００７９号公報
【特許文献３】特公平５−７１２７８号公報
【発明の開示】
【発明が解決しようとする課題】
【０００７】
上記特許文献３に開示されている先行技術にあっては、磁性板として鉄板等の硬質板を用いているため、遊技盤の裏面側に配設するに際して、パチンコ遊技機の裏面に設けられている他の遊技機構部材の邪魔にならないようにする必要がある。このため、磁性板の形状及び大きさが限定されてしまう結果、実際には一つの磁気センサによる検知範囲を余り広くすることができないという問題点があった。
【０００８】
本発明は、かかる従来の実状に鑑みてなされたものであり、パチンコ遊技機に設けられている遊技機構部材の邪魔になることなく、一つの磁気センサによる検知範囲を飛躍的に拡大し得る構成を備えたパチンコ遊技機を提供することを目的とするものである。
【課題を解決するための手段】
【０００９】
本発明は、遊技機本体が遊技盤と該遊技盤の前面を覆う透明板とを備えてなるパチンコ遊技機において、遊技機本体の、透明板前面に近づけられた磁石が発生する磁気を検知すべき領域に磁性樹脂からなる磁性被膜層を備え、かつ該磁性被膜層が励磁されることにより生ずる磁気を検知する磁気センサを備えていることを特徴とするパチンコ遊技機である。
【００１０】
かかるパチンコ遊技機にあって、遊技盤の表面に磁性被膜層が設けられ、該磁性被膜層から遊技盤の裏面側に延成された磁性板または磁性導線の端部に臨ませて磁気センサが配設されている構成が提案される。
【００１１】
また、透明板の裏面に透明な磁性樹脂を塗布した磁性被膜層が設けられ、該磁性被膜層から遊技盤の裏面側に延成された磁性導線の端部に臨ませて磁気センサが配設されている構成が提案される。
【発明の効果】
【００１２】
本発明は、上述したように、遊技機本体の、透明板前面に近づけられた磁石が発生する磁気を検知すべき領域に磁性樹脂からなる磁性被膜層を備え、かつ該磁性被膜層が励磁されることにより生ずる磁気を検知する磁気センサを備えたものであり、磁性被膜層を構成する磁性樹脂は、遊技盤、透明板、入賞装置、裏機構板その他のあらゆる遊技機構部材に塗布することができるため、磁性被膜層の形状及び大きさに何ら制限を受けることなく該磁性被膜層を広範囲に亘って設けることができ、これによって鉄板等の硬質板からなる磁性板を用いる場合に比して、一つの磁気センサによる検知範囲を極めて広い範囲まで拡大することができる。
【００１３】
また、遊技盤の表面に磁性被膜層が設けられ、該磁性被膜層から遊技盤の裏面側に延成された磁性板または磁性導線の端部に臨ませて磁気センサが配設されている構成にあっては、遊技盤の表面に磁性被膜層を設けることにより、遊技盤の裏面に磁性被膜層を設ける場合に比して、透明板前面に近づけられる磁石との距離を縮めることができ、これによって強い励磁作用を得ることができる一方、磁気センサが遊技盤の裏面側に配設されていることによって、該磁気センサを不正遊技者から目視不能とすることができるとともに、該磁気センサを磁束密度が高くなる磁性板の端部または磁性導線の端部に臨ませていることにより、優れた検知感度を得ることができる。
【００１４】
また、透明板の裏面に透明な磁性樹脂を塗布した磁性被膜層が設けられ、該磁性被膜層から遊技盤の裏面側に延成された磁性導線の端部に臨ませて磁気センサが配設されている構成にあっては、遊技盤の表面に磁性被膜層を設ける場合に比して、透明板前面に近づけられる磁石との距離をさらに縮めることができ、これによってさらに強い励磁作用を得ることができる一方、磁気センサが遊技盤の裏面側に配設されていることによって、該磁気センサを不正遊技者から目視不能とすることができるとともに、該磁気センサを磁束密度が高くなる磁性導線の端部に臨ませていることにより、優れた検知感度を得ることができる。
【発明を実施するための最良の形態】
【００１５】
本発明にかかるパチンコ遊技機１の第一実施例を、図１〜図５に基づいて説明する。
【００１６】
パチンコ遊技機１は、図１に示すように、遊技島（図示省略）に固定される長方形状の外枠２と、該外枠２の前面開口部を覆う遊技機本体３とからなる。
【００１７】
遊技機本体３は、中央上部に略正方形状の開口部６が形成された長方形状の前枠４を備えており、該前枠４の左側部が前記外枠２にヒンジ部材５を介して片開き可能に枢結されている。前枠４の開口部６には、矩形板状の遊技盤７が、開口部６全体を後方から塞ぐように配設されている。また、該遊技盤７の前方には、該遊技盤７の前面を透視可能に覆う前面扉８が配設されている。この前面扉８は、略正方形状の支持枠体９に保持された前後２枚の透明板１０を備えており、該支持枠体９の左側部が開口部６の口側縁に枢結されることにより前面扉８が開閉可能となっている。
【００１８】
前枠４には、開口部６の下部に位置させて上皿１１を備えた前面パネル１２が配設されており、該前面パネル１２は、左側縁を前枠４に枢結することにより開閉可能となっている。また、前枠４には、前面パネル１２の下部に下皿１３が配設されおり、この下皿１３の右側に発射ハンドル１４が突設されている。
【００１９】
前記遊技盤７は、図２に示すように、木製合板１５の前面全体に装飾用のセル板１６を貼付してなるものである。遊技盤７の前面には、長尺な金属レール１７を湾曲させて取り付けることにより、円形の遊技領域１８と円弧状の案内通路１９が区画形成されており、遊技盤７の右下方に配設される発射装置（図示省略）から発射された遊技球が、案内通路１９を介して遊技領域１８の左上部へ打ち出されるようになっている。また、遊技領域１８には、図２，図３に示すように、図柄表示装置２１を備えたセンターケース２０、大入賞口２２、逆ハ字形に外側方に拡開する左右一対の可動翼片２７，２７を備えた可変入賞装置２３、普通入賞口２４、図柄始動ゲート２５や遊技釘２６等の各種遊技部材が配設されており、遊技領域１８へ打ち出された遊技球は、これらの遊技部材間を転動流下して、図柄始動ゲート２５を通過したり、可変入賞装置２３や普通入賞口２４に入賞したりする一方、入賞しなかった遊技球は、遊技領域１８の最下部に設けられたアウト口２８に流入して遊技盤７の裏側へ排出されるようになっている。尚、上述した各種遊技部材の構成はこれに限定されるものではなく、適宜変更することが可能である。
【００２０】
次に、本発明の要部について説明する。
遊技機本体３は、透明板１０の前面に近づけられた磁石２９（図４参照）が発生する磁気を検知すべき領域に磁性被膜層３０を備えている。該磁性被膜層３０は、鉄を主成分として含む酸化物磁性体を直径１〜５０μｍ程度に粉砕した微細な強磁性粉末を樹脂バインダー中に分散した磁性樹脂からなり、この第一実施例では、該磁性樹脂を遊技盤７の表面全体に亘って塗布することにより、図３，図４に示すように、磁性被膜層３０が設けられている。前記強磁性粉末としては、磁束密度が大きいフェライトセラミック粉末や希土類粉末が好適に用いられる。なかでもフェライトセラミックは耐摩耗性に優れ、透明であるため、これを透明な樹脂バインダー中に分散すれば透明な磁性樹脂からなる磁性被膜層３０が得られる。また、前記樹脂バインダーとしては、ウレタン系，エポキシ系、シリコーン系、ポリイミド系等の樹脂が用いられ得る。ここで、この透明な磁性樹脂を前記セル板１６（図２参照）の表面に設けられた装飾用のデザイン図柄（図示省略）上に塗布することにより、図４に示すように、磁性被膜層３０を設けたり、或いは透明な磁性樹脂に顔料を混入して種々の色彩に着色し、これをセル板１６の表面に塗布することにより、磁性樹脂自体でデザイン図柄を描出するようにしてもよい。また、磁性樹脂によりセル板１６を成形してもよい。
【００２１】
前記磁性被膜層３０の側縁には、図２，図５に示すように、帯状の磁性板３１の一端が接続され、該磁性板３１の他端が遊技盤７の裏面側に延成されている。そして、該磁性板３１の端部に臨ませて磁気センサ３２が配設されている。該磁気センサ３２は、磁性被膜層３０が励磁されることにより生ずる磁気を検知するものであり、この磁気センサ３２としては、リードスイッチや、ホール素子，ＭＲ（磁気抵抗）素子，ＭＩ（磁気インピーダンス）素子等の感磁性半導体素子を用いることできる。
【００２２】
かかる構成にあって、不正行為に用いられる磁石２９（図４参照）が透明板１０の前面に近づけられると、該磁石２９が発生する磁気によって磁性被膜層３０が励磁されるとともに、該磁性被膜層３０が励磁されることによって、該磁性被膜層３０の側縁から遊技盤７の裏面側に延成されている磁性板３１も励磁される。このように励磁された磁性板３１に生ずる磁気は、該磁性板３１の端部に臨ませて配設されている磁気センサ３２によって検知され、該磁気センサ３２から不正検知信号を送信させることができる。
【００２３】
そして、磁性被膜層３０を構成する磁性樹脂は、遊技盤７の表面全体に亘って塗布することができるため、磁性被膜層３０の形状及び大きさに何ら制限を受けることなく該磁性被膜層３０を広範囲に亘って設けることができ、これによって鉄板等の硬質板からなる磁性板を用いる場合に比して、一つの磁気センサ３２による検知範囲を極めて広い範囲まで拡大することができる。
【００２４】
また、この第一実施例では、遊技盤７の表面に磁性被膜層３０が設けられていることにより、遊技盤７の裏面に磁性被膜層３０を設ける場合に比して、透明板１０の前面に近づけられる磁石２９との距離を縮めることができ、これによって強い励磁作用を得ることができる一方、磁気センサ３２が遊技盤７の裏面側に配設されていることによって、該磁気センサ３２を不正遊技者から目視不能とすることができるとともに、該磁気センサ３２を磁束密度が高くなる磁性板３１の端部に臨ませていることにより、優れた検知感度を得ることができる。
【００２５】
尚、この第一実施例では、磁性被膜層３０の側縁から遊技盤７の裏面側に磁性板３１を延成する構成について説明したが、該磁性板３１に代えて磁性被膜層３０と同一の磁性樹脂によって遊技盤７の裏面側に達する磁性延成層を設けてもよい。また、磁性板３１に代えて後述する磁性導線３３を用いることも可能であり、この磁性導線３３の端部に磁気センサ３２を臨ませるようにしてもよい。また、磁性被膜層３０は、遊技盤７の裏面や、遊技盤７の裏面側に配設される裏機構板の外表面、或いは遊技盤７の表面と該遊技盤７上に配設されるセンターケース２０や可変入賞装置２３の表面全体に亘って設けることも可能である。また、磁性被膜層３０を遊技盤７の裏面に設け、該磁性被膜層３０の端部に磁気センサ３２を臨ませることもでき、この場合には上述した磁性板３１や磁性延成層或いは磁性導線は不要となる。さらに、遊技盤７の表面に磁性被膜層３０を設け、該磁性被膜層３０の端部に臨ませて、前方から視認不能な位置に磁気センサ３２を配設することにより、磁性板３１や磁性延成層或いは磁性導線を不要にすることができる。
【００２６】
図６，図７は、第二実施例を示し、この第二実施例は、透明板１０の裏面全体に亘って透明な磁性樹脂を塗布した磁性被膜層３０が設けられ、該磁性被膜層３０から遊技盤７の裏面側に延成された磁性導線３３の端部に臨ませて磁気センサ３２を配設したものである。ここで、該磁性被膜層３０は、直径１〜５０μｍ程度の微細な強磁性粉末を透明な樹脂バインダー中に分散した磁性樹脂からなり、前記強磁性粉末としては、フェライトセラミックの粉末が好適に用いられる。該フェライトセラミックは透明であるため、これを透明な樹脂バインダー中に分散すれば透明な磁性樹脂からなる磁性被膜層３０が得られる。前記磁性導線３３としては、銅線の外周を強磁性薄膜で覆った磁性メッキ線や透磁率の高いアモルファスワイヤ、或いは鉄を主成分として含む強磁性体からなる針金が用いられ得る。また、磁気センサ３２としては、第一実施例と同様に、リードスイッチや、ホール素子，ＭＲ（磁気抵抗）素子，ＭＩ（磁気インピーダンス）素子等の感磁性半導体素子を用いることできる。
【００２７】
かかる構成にあっては、磁性被膜層３０が透明であることにより、透明板１０を通しての前方からの遊技盤７の視認に支障を来すことがなく、遊技盤７の表面に磁性被膜層３０を設ける場合に比して、透明板１０の前面に近づけられる磁石２９との距離をさらに縮めることができ、これによってさらに強い励磁作用を得ることができる一方、磁気センサ３２が遊技盤７の裏面側に配設されていることによって、該磁気センサ３２を不正遊技者から目視不能とすることができるとともに、該磁気センサ３２を磁束密度が高くなる磁性導線３３の端部に臨ませていることにより、優れた検知感度を得ることができる。
【図面の簡単な説明】
【００２８】
【図１】第一実施例にかかるパチンコ遊技機１の斜視図である。
【図２】遊技盤７の斜視図である。
【図３】遊技盤７の正面図である。
【図４】磁性被膜層３０の配設態様を示す要部の側断面図である。
【図５】磁性被膜層３０から延成された磁性板３１と磁気センサ３２の配設態様を示す遊技盤７の横断面図である。
【図６】第二実施例にかかる磁性被膜層３０の配設態様を示す要部の側断面図である。
【図７】同上の磁性被膜層３０から延成された磁性導線３３と磁気センサ３２の配設態様を示す概念図である。
【符号の説明】
【００２９】
１  パチンコ遊技機
３  遊技機本体
７  遊技盤
１０  透明板
２９  磁石
３０  磁性被膜層
３１  磁性板
３２  磁気センサ
３３  磁性導線
【図１】
2010088537.tif 000003
【図２】
2010088537.tif 000004
【図３】
2010088537.tif 000005
【図４】
2010088537.tif 000006
【図５】
2010088537.tif 000007
【図６】
2010088537.tif 000008
【図７】
2010088537.tif 000009